(57)【要約】【課題】様々な把持感触を得ることができる筆記具の軸筒を簡単な構造で提供するする。【解決手段】軸筒本体に、他の軸筒の外径よりも小径の把持部を形成し、該把持部に軟質材からなる透明又は半透明のグリップ部材を装着してなる筆記具の軸筒であって、前記グリップ部材の内壁及び／又は把持部の外壁に、円周上に非連続の凹部を、軸方向で異なる位置に複数個形成するとともに、前記凹部が、軸方向で隣設する一方及び／又は両方の凹部とで形状が異なることを特徴とする。【選択図】          図１
2007144700.tif 000002
【特許請求の範囲】
【請求項１】
軸筒本体に、他の軸筒の外径よりも小径の把持部を形成し、該把持部に軟質材からなる透明又は半透明のグリップ部材を装着してなる筆記具の軸筒であって、前記グリップ部材の内壁及び／又は把持部の外壁に、円周上に非連続の凹部を、軸方向で異なる位置に複数個形成するとともに、前記凹部が、軸方向で隣設する一方及び／又は両方の凹部とで形状が異なることを特徴とする筆記具の軸筒。
【請求項２】
前記凹部が、円周方向で異なる位置に形成するとともに、前記凹部が、軸方向で隣設する一方及び／又は両方の凹部とで形状が異なることを特徴とする請求項１に記載の筆記具の軸筒。
【請求項３】
前記凹部が、軸筒本体の軸心上の点を基準とした点対称に形成されていることを特徴とする請求項１または２に記載の筆記具の軸筒。
【請求項４】
前記凹部が、文字及び／又は図形であることを特徴とする請求項１ないし３の何れか１項に記載の筆記具の軸筒。
【発明の詳細な説明】
【技術分野】
【０００１】
本発明は、軸筒本体に、他の軸筒の外径よりも小径の把持部を形成し、該把持部に軟質材からなるグリップ部材を装着してなる筆記具の軸筒に関する。 
【背景技術】
【０００２】
従来から、軸筒本体に、他の軸筒の外径よりも小径の把持部を形成し、該把持部に軟質材からなるグリップ部材を装着してなる軸筒は知られている。
【０００３】
こうした筆記具の軸筒において、実開平７−１５３７３号公報「軸体のグリップ」や実開平７−３７６８０号「軸体のグリップ装置」には、グリップ部材と軸筒との間に空隙部を形成し、把持した時にグリップ部材が内側に撓む構造とし、弾力を得られる筆記具の軸筒が開示されている。
【特許文献１】「実開平７−１５３７３号公報」
【特許文献２】「実開平７−３７６８０号公報」
【発明の開示】
【発明が解決しようとする課題】
【０００４】
確かに、特許文献１、２に開示されている筆記具の軸筒は、グリップ部材の把持した時に、親指及び／又は中指が当接し、把持する力によってグリップ部材を内側に変形させて、把持感触を変更することは可能である。
【０００５】
しかしながら使用者には、硬い把持感触を好む人と、軟らかい把持感触を好む人等、好みは様々であるが、前述した特許文献１、２では、柔らかい把持感触と硬い把持感触の２種類の把持感触しか得ることができなかった。
【０００６】
本発明の目的は、様々な把持感触を得ることができる筆記具の軸筒を簡単な構造で提供することである。
【課題を解決するための手段】
【０００７】
本発明は、軸筒本体に、他の軸筒の外径よりも小径の把持部を形成し、該把持部に軟質材からなる透明又は半透明のグリップ部材を装着してなる筆記具の軸筒であって、前記グリップ部材の内壁及び／又は把持部の外壁に、円周上に非連続の凹部を、軸方向で異なる位置に複数個形成するとともに、前記凹部が、軸方向で隣設する一方及び／又は両方の凹部とで形状が異なることを特徴とする。
【０００８】
また、前記凹部が、円周方向で異なる位置に形成するとともに、前記凹部が、円周方向で隣設する一方及び／又は両方の凹部とで形状が異なることを特徴とする。
【０００９】
また、前記凹部が、軸筒本体の軸心上の点を基準とした点対称に形成されていることを特徴とする。
【００１０】
また、前記凹部が、文字及び／又は図形であることを特徴とする。
【００１１】
本発明の軟質材は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【発明の効果】
【００１２】
構造が簡単で、様々な把持感触を得ることができる筆記具の軸筒を簡単な構造で提供することができた。
【発明を実施するための最良の形態】
【００１３】
次に図面を参照しながら、本発明の筆記具の軸筒の実施例を説明するが、本発明は以下の実施例に限定されるものではない。
【実施例１】
【００１４】
図１から図６に示す実施例１の筆記具の軸筒１は、軸筒本体２に他の軸筒本体の外径より小径の把持部３を形成してあり、この把持部３に半透明のシリコーンゴムからなる円筒状のグリップ部材６を装着して筆記具の軸筒１を得ている。また、軸筒本体２の先端部に形成した雄ねじ部８に口金７の雌ねじ部９を着脱自在に螺合してある。
【００１５】
小径の把持部３には、円周上に非連続的、且つ軸方向の異なる位置に凹部４を６個所４ａ、４ｂ、４ｃ、４ｄ、４ｅ形成してある。この凹部（４ａ、４ｂ、４ｃ、４ｄ、４ｅ、４ｆ）は、凹部の幅が把持部先端３ａから後端３ｂに向かって徐々に大きくなる形状である。また、凹部４とは円周方向の異なる位置に凹部５を軸方向の異なる位置に６個所（５ａ、５ｂ、５ｃ、５ｄ、５ｅ、５ｆ）形成してあり、この凹部５は、幅が把持部先端３ａから後端３ｂに向かって除々に小さくなる形状となっている。また、凹部４、５は、軸筒本体の軸心Ｊ上の点Ｔを基準とした点対称に形成してある。
【００１６】
円周上に非連続的、且つ軸方向に複数個、凹部４、５を形成することによって、把持部３に凹部４、５を形成した部分では、グリップ部材が内側に撓み柔らかい把持感触を得ることができ、凹部４、５の形状によって把持感触を変化させることができる。
【００１７】
具体的には、軸方向では、同一方向の押圧力（図１の矢印Ｐ方向）において、幅が小さい凹部４ａから幅の大きい凹部４ｆに向かって、グリップ部材の撓み量が除々に大きくなり、撓み量の相違によって、硬い把持感触から柔らかい把持感触の異なる種類の把持感触を得ることができる。
【００１８】
また、凹部４と円周方向で異なる位置に凹部５を形成するとともに、凹部４と形状を異ならしめることによって、図４に示すように、矢印Ｒ方向ではグリップ部材の撓み量が多く、柔らかい把持感触を得ることができ、矢印Ｐ方向では矢印Ｒ方向よりも撓み量が少なくやや柔らかい把持感触、他の矢印Ｑ、Ｓ方向では、矢印Ｐ、Ｒ方向に比べて硬い把持感触を得ることができ、円周方向によって複数の把持感触が得られる。
【００１９】
また、凹部４、５を軸筒本体の軸心上の点Ｔに対して、点対称とすることによって、装飾効果が向上するとともに、例えば把持部の先端部と後端部においては、軸方向が相違しても円周方向を変更することによって略同一の把持感触を得ることができるので好ましい。
【００２０】
本発明では、透明又は半透明のグリップ部材を装着してあるので、陰影によって凹部が外部から視認することができるので、共通の凹部を形成する場合に比べて、軸方向で隣設する一方及び／又は両方の凹部とで形状が異なることによって、装飾的な効果も向上することができるので好ましい。
【００２１】
また、凹部４、５の幅を、軸筒先端側から後端側に向かって拡大又は縮小する構造とすることで、把持部先端３ａ側から後端３ｂ側に向かって移動することによって、把持感触を柔らかい感触から硬い感触、又は硬い感触から柔らかい感触に順次変更することができる。
【００２２】
本実施例では、便宜上、把持部の外壁に凹部を形成してあるが、グリップ部材の内壁に凹部を形成してあってもよい。また、本実施例では、筆記体を図示していないが、筆記具として使用する場合には、軸筒内にボールペンレフィル等の筆記体を配設して使用する。また、図示はしていないが、凹部を文字や図形にすることによって、更に装飾効果を得る事ができるので好ましい。
【００２３】
また、凹部の形状は、軸方向で隣設する一方及び／又は両方の凹部とで形状が異なれば特に限定されるものではなく、凹部の縦断面形状及び／又は横断面形状、例えば、凹部の軸心方向への深さを相違させて、凹部の形状を変えてもよい。
【産業上の利用可能性】
【００２４】
キャップ式、ノック式等、筆記具の軸筒として広く実施可能であり、ボールペンや塗布具等、インキの種類に限定されるこのなく実施することができる。
【図面の簡単な説明】
【００２５】
【図１】実施例１の筆記具の軸筒を示す一部省略した縦断面図である。
【図２】図１における、Ｐ方向からみた軸筒本体の一部省略した外観図である。
【図３】図１における、Ｒ方向からみた軸筒本体の一部省略した外観図である。
【図４】図１におけるＡ−Ａ拡大断面図である。
【図５】図１におけるＢ−Ｂ拡大断面図である。
【図６】図１におけるＣ−Ｃ拡大断面図である。
【符号の説明】
【００２６】
１  筆記具の軸筒
２  軸筒本体
３  把持部
４、５  凹部
６  クリップ部材
７  口金
８  雄ねじ部
９  雌ねじ部
【図１】
2007144700.tif 000003
【図２】
2007144700.tif 000004
【図３】
2007144700.tif 000005
【図４】
2007144700.tif 000006
【図５】
2007144700.tif 000007
【図６】
2007144700.tif 000008